(57)【要約】【課題】磁石を内蔵するのに適した構造を備えると共に、人の耳に容易に取り付けて使用できる美容器具を提供する。【解決手段】  人の耳Ｅに取り付けて使用する美容器具１００であって、耳Ｅを挿通させる挿通孔２１０を有した本体部２００を備え、本体部２００は、挿通された耳Ｅを締め付けられるように弾性変形可能に構成されており、本体部２００は、肉厚部分２２０と肉薄部分２３０とを備え、肉厚部分２２０に磁石２４０が内蔵されていることを特徴とする。【選択図】図１
2020202906.tif 000002
【特許請求の範囲】
【請求項１】
人の耳に取り付けて使用する美容器具であって、
前記耳を挿通させる挿通孔を有した本体部を備え、
当該本体部は、挿通された前記耳を締め付けられるように弾性変形可能に構成されており、
前記本体部は、肉厚部分と肉薄部分とを備え、前記肉厚部分に磁石が内蔵されていることを特徴とする美容器具。
【請求項２】
前記挿通孔は、縦長形状となっており、
前記肉薄部分は、前記挿通孔の短辺側に設けられ、
前記肉厚部分は、前記挿通孔の長辺側に設けられていることを特徴とする請求項１に記載の美容器具。
【請求項３】
前記磁石は、前記挿通孔の両側の各肉厚部分にそれぞれ内蔵されていることを特徴とする請求項２に記載の美容器具。
【発明の詳細な説明】
【技術分野】
【０００１】
本願発明は、人の耳に取り付けて使用する美容器具に関するものである。
【背景技術】
【０００２】
従来から、人の耳にリング状のバンドを取り付け、耳を一時的に締め付ける美容器具が知られている。具体的には、この美容器具は、伸縮性素材で構成された肉薄のリング形状をしており、人の耳に取り付ける際は、リング部分を引き伸ばして耳を挿通させていた。そして、耳を一時的に締め付けることで、耳周辺に分布している咬筋を引き伸ばすことができる。この咬筋は、日常生活の中で緊張状態が続くと、次第に硬く縮んでしまうので、フェイスラインを崩す原因となるが、美容器具により咬筋を引き伸ばすことで、本来あるべき美しいフェイスラインへ戻すことができるのである。
【０００３】
そして近年では、美しいフェイスラインへ戻す効果をより高めるために、磁石の利用が検討されており、磁石を内蔵するのに適した構造の美容器具の開発が望まれていた。さらに、その美容器具には、磁石を内蔵しても、人の耳に容易に取り付けて使用できることも望まれていた。
【発明の開示】
【発明が解決しようとする課題】
【０００４】
そこで、本願発明は上記問題に鑑み、磁石を内蔵するのに適した構造を備えると共に、人の耳に容易に取り付けて使用できる美容器具を提供する。
【課題を解決するための手段】
【０００５】
本願発明の美容器具は、人の耳に取り付けて使用する美容器具であって、前記耳を挿通させる挿通孔を有した本体部を備え、当該本体部は、挿通された前記耳を締め付けられるように弾性変形可能に構成されており、前記本体部は、肉厚部分と肉薄部分とを備え、前記肉厚部分に磁石が内蔵されていることを特徴とする。
【０００６】
上記特徴によれば、肉厚部分に磁石を無理なく内蔵できることから、磁石を内蔵するのに適した構造となっており、美容器具の製造が容易となる。また、肉薄部分が存在することで、その肉薄部分を起点に本体部を上下に引き伸ばしやすくなり、美容器具を人の耳に容易に取り付けて使用することが出来る。
【０００７】
さらに、本願発明の美容器具は、前記挿通孔が、縦長形状となっており、前記肉薄部分は、前記挿通孔の短辺側に設けられ、前記肉厚部分は、前記挿通孔の長辺側に設けられていることを特徴とする。
【０００８】
上記特徴によれば、本体部の挿通孔を縦長形状とし、肉薄部分を挿通孔の短辺側に設けたため、人の耳に非常に容易に取り付けることが出来る。さらに、人の耳に合わせて、本体部の挿通孔を縦長形状としたため、挿通孔の長辺側は、耳の前面と裏面に密着できる。そのため、長辺側に位置する肉厚部分に内蔵された磁石の磁力線は、耳の前面又は裏面の広い範囲に向けて放射されるため、より広範囲の血行を効果的に良くすることができる。
【０００９】
本願発明の美容器具は、前記磁石は、前記挿通孔の両側の各肉厚部分にそれぞれ内蔵されていることを特徴とする。
【００１０】
上記特徴によれば、耳の前面と裏面の両側から挟み込むように、磁石の磁力線を放射することができ、血行をより効果的に良くすることができる。
【発明の効果】
【００１１】
上記に記したように、本願発明の人の耳に取り付けて使用する美容器具は、磁石を内蔵するのに適した構造を備えると共に、人の耳に容易に取り付けて使用できる。
【図面の簡単な説明】
【００１２】
【図１】本願発明の美容器具の全体斜視図である。
【図２】（ａ）は美容器具の平面図、（ｂ）は美容器具の側面図、（ｃ）は美容器具の正面図である。
【図３】（ａ）及び（ｂ）は、人の耳に美容器具を取り付ける様子を示した側面図である。
【図４】人の耳に美容器具を取り付けた状態の側面図である。
【図５】（ａ）は本願発明の変形例１に係る美容器具の平面図、（ｂ）は本願発明の変形例２に係る美容器具の平面図、（ｃ）は本願発明の変形例３に係る美容器具の平面図、（ｄ）は本願発明の変形例４に係る美容器具の平面図である。
【符号の説明】
【００１３】
１００        美容器具
２００        本体部
２１０        挿通孔
２２０        肉厚部分
２３０        肉薄部分
２４０        磁石
Ｅ            耳
【発明を実施するための形態】
【００１４】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００１５】
まず、図１及び図２に本願発明の美容器具１００を示す。なお、図１は、美容器具１００の全体斜視図、図２（ａ）は美容器具１００の平面図、図２（ｂ）は美容器具１００の側面図、図２（ｃ）は美容器具１００の正面図である。
【００１６】
美容器具１００は、人の耳に取り付けることができるもので、人の耳を挿通させる挿通孔２１０を有した本体部２００を備える。この挿通孔２１０は、本体部２００を貫通しており、人の耳の形状に合わせて略楕円形の縦長形状となっている。そして、本体部２００は、挿通孔２１０の周りを環状に囲っている。また、本体部２００は、スチレン系エラストマーや、その他の合成樹脂等によって伸縮性を備えるように形成され、柔軟に弾性変形することができる。そして、挿通孔２１０は人の耳より小さくなっているので、後述するように、挿通孔２１０に挿通させた人の耳は、弾性変形する本体部２００によって締め付けられるようになっている。
【００１７】
また、挿通孔２１０は、厚さＤ１の肉厚部分２２０と、厚さＤ２の肉薄部分２３０とを備えている。肉厚部分２２０の厚さＤ１は、肉薄部分２３０の厚さＤ２と比較して厚くなっている（つまり、厚さＤ１＞厚さＤ２となっている）。そして、肉薄部分２３０は、挿通孔２１０の短辺２２１側に設けられ、肉厚部分２２０は、挿通孔２１０の長辺２２２側に設けられている。さらに、本体部２００は、図２（ａ）に示すように平面視ハート型となっており、優れた意匠性を備えている。なお、後述するように、厚さＤ２の肉薄部分２３０の方が、厚さＤ１の肉厚部分２２０よりも、より小さい力で弾性変形させることができる。
【００１８】
さらに、肉厚部分２２０の内部には、球状の磁石２４０が内蔵されている。対になった磁石２４０は、挿通孔２１０の両側の肉厚部分２２０にそれぞれ設けられている。
【００１９】
なお、図１及び図２に示すように、挿通孔２１０は平面視で縦長形状となっているが、これに限定されず、平面視で円形形状や正方形形状など任意の形状としてもよい。また、美容器具１００は、平面視ハート型となっているが、これに限定されず、円形形状や正方形形状など任意の形状としてもよい。さらに、挿通孔２１０の短辺２２１側に肉薄部分２３０を設け、挿通孔２１０の長辺２２２側に肉厚部分２２０を設けているが、これに限定されず、挿通孔２１０の短辺２２１側に肉厚部分２２０を設け、挿通孔２１０の長辺２２２側に肉薄部分２３０を設けてもよい。また、本体部２００は、弾性変形できるように、スチレン系エラストマーやその他の合成樹脂等によって形成されているが、弾性変形が可能であれば、適宜任意の素材を利用してもよい。また、挿通孔２１０の両側の肉厚部分２２０にそれぞれ磁石２４０を内蔵しているが、これに限定されることはなく、挿通孔２１０の片側の肉厚部分２２０のみに磁石２４０を内蔵してもよい。また、磁石２４０はネオジム磁石を採用しているが、これに限定されず、適宜任意の種類の磁石を採用してもよい。さらに、磁石２４０は、肉厚部分２２０に一つ内蔵されているが、これに限定されず、肉厚部分２２０周辺に複数内蔵してもよい。また、図１及び図２に示す美容器具１００では、肉厚部分２２０のみに磁石２４０を内蔵しているが、肉薄部分２３０に磁石２４０を内蔵してはならないというわけではなく、磁石２４０が肉薄部分２３０に容易に内蔵できる程度に小さいのであれば、磁石２４０を肉薄部分２３０に内蔵してもよい。
【００２０】
では次に、図３及び図４を参照して、本願発明の美容器具１００の使用態様について説明する。なお、図３（ａ）及び（ｂ）は、人の耳に美容器具１００を取り付ける様子を示した側面図、図４は、人の耳に美容器具１００を取り付けた状態の側面図である。なお、図３及び図４では、人の片側の耳のみを示して説明しているが、実際は両側の耳に美容器具１００をそれぞれ取り付けて使用する。
【００２１】
まず、図３（ａ）に示すように、美容器具１００の使用者は、片方の手Ｈ１の指Ｆ１を挿通孔２１０に通して折り曲げ、肉薄部分２３０を指Ｆ１で引っ掛ける。そして、もう片方の手Ｈ２の指Ｆ２を挿通孔２１０に通して折り曲げ、指Ｆ１の反対側の肉薄部分２３０を指Ｆ２で引っ掛ける。その状態で、指Ｆ１と指Ｆ２とで相対する各肉薄部分２３０を上下に引っ張り、挿通孔２１０が長尺方向（縦長方向）へ伸びるように、本体部２００を弾性変形させる。
【００２２】
次に、図３（ｂ）に示すように、縦方向へ引き伸ばされた挿通孔２１０に、耳Ｅを挿通させる。その際、上下の指Ｆ１と指Ｆ２で、耳Ｅを上下から押さえつけることで、耳Ｅを挿通孔２１０内に挿通させ易くなる。そして、挿通孔２１０内に耳Ｅが挿通したら、上下の指Ｆ１と指Ｆ２を肉薄部分２３０から離す。すると、上下に引き伸ばされていた本体部２００は、弾性変形前の元の形状に復帰する。すると、美容器具１００の挿通孔２１０は、耳Ｅより小さくなっているので、図４に示すように、元の形状に復帰した本体部２００によって、耳Ｅは締め付けられることになる。
【００２３】
図４に示すように、耳Ｅが美容器具１００によって締め付けられると、緊張状態で硬く縮んだ咬筋が引き伸ばされる。さらに、図４に示す状態で、顔Ｆ３（頬などのフェイスラインに沿った部分）のマッサージを行い、顔Ｆ３内部に溜まった老廃物を排出し易くする。そして、数分後に、耳Ｅから美容器具１００を取り外すと、耳Ｅ周辺の血行が一気に良くなり、顔Ｆ３に溜まった老廃物もリンパ管へ一気に排出され、マッサージ効果がより一層効果的に発揮されるのである。このように、美容器具１００により咬筋を引き伸ばし、マッサージ効果も向上させることで、本来あるべき美しいフェイスラインへより一層効果的に戻すことができるのである。特に、美容器具１００には磁石２４０が内蔵されているので、磁石２４０から発生している磁力によって血行を良くし、硬く縮んだフェイスライン周辺の組織をほぐし、またリンパの流れを良くして蓄積された老廃物をより効果的に排出することができるのである。
【００２４】
このように、本願発明の美容器具１００によれば、本体部２００に肉厚部分２２０と肉薄部分２３０を備え、肉厚部分２２０に磁石２４０を内蔵している。そのため、肉厚部分２２０に磁石２４０を無理なく内蔵することができるため、美容器具１００の製造が容易となる。また、肉薄部分２３０が存在することで、その肉薄部分２３０を起点に本体部２００を上下に引き伸ばしやすくなり、美容器具１００を人の耳に容易に取り付けて使用することが出来る。
【００２５】
特に、従来のリング状のバンドで構成された美容器具において、磁石を内蔵しようとすると、バンド全体を肉厚にする必要があった。すると、肉厚になった分、美容器具を引き伸ばすのに強い力が必要となり、耳に取り付けにくくなってしまう。そこで、本願発明では、美容器具の本体部２００に肉厚部分２２０と肉薄部分２３０を設け、肉厚部分２２０に磁石２４０を内蔵したことで、製造が容易で、尚且つ、耳にも取り付けやすくしたのである。
【００２６】
さらに、本願発明では、本体部２００の挿通孔２１０を縦長形状とし、肉薄部分２３０を挿通孔２１０の短辺２２１側に設けたため、人の耳Ｅに非常に容易に取り付けることが出来る。具体的には、人の耳Ｅは縦長形状であるので、その人の耳Ｅの形状に合わせて、本体部２００の挿通孔２１０も縦長方向に引き伸ばし易くすれば、それだけ美容器具１００を耳Ｅに取り付けやすくなるのである。そこで、本願発明の美容器具１００の本体部２００の挿通孔２１０を縦長形状とし、肉薄部分２３０を挿通孔２１０の短辺２２１側に設けることで、図３（ａ）に示すように、耳Ｅの縦長方向に合わせて、本体部２００を縦長方向に上下に容易に引き伸ばすことが出来るのである。その結果、美容器具１００を、人の耳Ｅに非常に容易に取り付けることが出来るのである。
【００２７】
さらに、本願発明では、本体部２００の挿通孔２１０を縦長形状としているので、図４に示すように、美容器具１００が耳Ｅを締め付けている状態でも、挿通孔２１０は耳Ｅに沿った形状となっている。より具体的には、図４に示すように、挿通孔２１０の長辺２２２側は、耳Ｅの前面と裏面に密着している。そのため、長辺２２２側に位置する肉厚部分２２０に内蔵された磁石２４０の磁力線は、耳Ｅの前面又は裏面の広い範囲に向けて放射されるため（言い換えると、磁力線が通過する面積が増えるため）、より広範囲の血行を効果的に良くすることができる。
【００２８】
さらに、本願発明では、図４に示すように、挿通孔２１０の両側の各肉厚部分２２０に磁石２４０が設けられているので、耳Ｅの前面と裏面の両側から挟み込むように、磁石２４０の磁力線を放射することができ、血行をより効果的に良くすることができる。
【００２９】
次に、本願発明の美容器具１００の変形例１から４について、図５を参照して説明する。なお、各変形例に係る美容器具は、本体部の形状が、図１から図４に示す美容器具１００の本体部２００の形状とは異なるだけで、その他の構成については、図１から図４に示す美容器具１００の構成と基本的に同一なので、その同一の構成については、同一の符号を付して詳細な説明は省略する。
【００３０】
まず、図５（ａ）に示すように、本願発明の変形例１に係る美容器具１００Ａでは、平面視ハート型であるが、本体部２００Ａの表面に複数の面部が形成されており、ダイヤモンドカットのような美観を備えている。また、図５（ｂ）に示すように、本願発明の変形例２に係る美容器具１００Ｂでは、本体部２００Ｂが、挿通孔２１０の両側にそれぞれ２つの肉厚部分２２０を備えており、各肉厚部分２２０に磁石２４０が内蔵されている。このように、変形例２に係る美容器具１００Ｂは、本体部２００Ｂが平面視で蝶のような美観を備えている。また、図５（ｃ）に示すように、本願発明の変形例３に係る美容器具１００Ｃでは、本体部２００Ｃが平面視略四角形状をしている。さらに、図５（ｄ）に示すように、本願発明の変形例４に係る美容器具１００Ｄでは、本体部２００Ｄが平面視略円形形状をしている。
【００３１】
なお、本願発明の美容器具は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020202906.tif 000003
【図２】
2020202906.tif 000004
【図３】
2020202906.tif 000005
【図４】
2020202906.tif 000006
【図５】
2020202906.tif 000007